(57)【要約】      （修正有）【課題】花弁の形や色を自由にしかも容易にデザインすることができ、かつ、保存性が良く製作も容易なアクセサリーパーツを提供する。  【解決手段】表面１ｂ及び裏面１ｃに印刷が施されたポリエステル製または綿製の布の小片１ａであって、小片１ａは熱処理により変形しており、さらに表裏面にレジン３が塗られ、ＵＶライト４により固められたものを花弁として用いることで立体感を表現することができる。小片１ａは、ポリエステル製または綿製の布の表面１ｂ及び裏面１ｃにパソコンで印刷されたものから切り出されたものであり、花弁の形や色を自由にデザインできる。ポリエステル製または綿製の布としては、白色のものを用いることで表裏に印刷した場合に色が変わらず、また、レジン３を塗った場合も色合いの変化を抑えることができる。【選択図】図１
0003211296.tif 000002
【実用新案登録請求の範囲】
【請求項１】
表面及び裏面に印刷が施されたポリエステル製または綿製の布の小片であって、
該布の小片は熱処理により変形しており、さらに表裏面にレジンが塗られ、ＵＶライトにより固められたものが花弁として用いられる、
ことを特徴とする花のアクセサリーパーツ。
【請求項２】
上記布の小片は、ポリエステル製または綿製の布の表面及び裏面にパソコンで印刷されたものから切り出されたものであることを特徴とする、請求項１に記載の花のアクセサリーパーツ。
【請求項３】
上記花弁が複数枚重ねられてボンドまたはグルーガンで止められていることを特徴とする、請求項１または２に記載の花のアクセサリーパーツ。
【考案の詳細な説明】
【技術分野】
【０００１】
本考案は、花のアクセサリーパーツに関する。
【背景技術】
【０００２】
花のアクセサリーパーツには様々なものがあるが、生花を用いないタイプのアクセサリーパーツの場合、花の美しいイメージを長い期間にわたって保つため、あるいは花をモチーフとして自由な創作をするための様々な製作方法が知られている。
【０００３】
従来からある造花は材料として布が用いられているため柔らかく、見た目の印象も生花に近いが、長期間形状を保つことが困難で、雨などで濡れると劣化するという欠点がある。また、製作時に裂けやすく加工も容易ではない。
【０００４】
それに対し、近年、布等の材料にレジンを塗ってＵＶライトを当てて固めて製作する花のアクセサリーパーツが長期間形状を保つことができ製作も容易という特徴から注目されている。特許文献１には、土台の透明板にＵＶレジン液を重ね塗りし、押し花の花弁等をＵＶレジン液に封入して固めるアクセサリーが開示されている。
【先行技術文献】
【特許文献】
【０００５】
【特許文献１】実用新案登録第３２０１２０８号公報
【考案の概要】
【考案が解決しようとする課題】
【０００６】
しかしながら、特許文献１のアクセサリーはレジンに花弁等を封じ込めることで通常の押し花より経年劣化が抑制され製作も容易ではあるが、立体的な花の形状を表現することや、花の形や色を自由にデザインすることはできない。
【０００７】
本考案は上記問題点に鑑み、レジンを塗ってＵＶライトを当てて固めることで長期間形状を保つことができ、製作も容易であるという特徴を活かしつつ、立体的な花の形状を表現することができ、かつ花弁の形や色を自由にしかも容易にデザインすることができるアクセサリーパーツを提供することを課題とする。  
【課題を解決するための手段】
【０００８】
上記課題を解決するために、請求項１の考案は、表面及び裏面に印刷が施されたポリエステル製または綿製の布の小片であって、布の小片は熱処理により変形しており、さらに表裏面にレジンが塗られ、ＵＶライトにより固められたものが花弁として用いられることを特徴とする。
請求項２の考案はさらに、布の小片は、ポリエステル製または綿製の布の表面及び裏面にパソコンで印刷されたものから切り出されたものであることを特徴とする。
請求項３の考案はさらに、花弁が複数枚重ねられてボンドまたはグルーガンで止められていることを特徴とする。
【考案の効果】
【０００９】
本考案により、立体的な花の形状や花弁の形、色を自由にデザインすることができる、製作容易で保存性に優れた花のアクセサリーパーツが提供される。
【図面の簡単な説明】
【００１０】
【図１】本考案の第１の実施形態を示す模式図である。
【図２】ポリエステルまたは綿の布に印刷された小片の模式図である。
【図３】本考案の第２の実施形態を示す模式図である。
【考案を実施するための形態】
【００１１】
以下、本考案の第１の実施形態について図を用いて説明する。まず本実施形態の構成について説明する。
【００１２】
図１に示すように、表面１ｂ及び裏面１ｃに印刷が施されたポリエステル製または綿製の布１の小片１ａであって、小片１ａは熱処理により変形しており、さらに表裏面にレジン３が塗られ、ＵＶライト４により固められたものが花弁として用いられている。
小片１ａは、ポリエステル製または綿製の布１の表面１ｂ及び裏面１ｃにパソコンで印刷されたものから切り出されたものである。ポリエステル製または綿製の布１としては、白色のものが好ましい。表裏に印刷でき、印刷した場合に色が変わらず、また、レジン３を塗っても色合いがそれほど変わらないからである。
【００１３】
次に、本実施形態のアクセサリーパーツの製作手順について説明する。
図２に示すように、ポリエステル製または綿製の布１の表裏面にパソコンで花弁用の小片１ａを印刷する。小片１ａの形、色、小片１ａ内の模様等のデザインを自由に、しかも容易に印刷することができる。
次に、これらの小片１ａをハサミで１つ１つ切り出す。
次に、図１（ａ）に示すように、小片１ａにアートフラワー用の専用コテ２を押し当てて熱処理することである程度硬化させるとともに所定の形状に反らせて変形させる。
次に、図１（ｂ）に示すように、小片１ａの表裏面１ｂ、１ｃにレジン３を塗り、ＵＶライト４を当てて光沢を与えるとともにさらに硬化させる。このレジン３を塗り、ＵＶライト４を当てる工程を小片１ａの花弁としての使用状況によっては複数回繰り返す。
次に、各小片１ａに穴を明けて他の部分の部品と連結材やボンド等を用いて組み合わせ、花のアクセサリーパーツとする。
【００１４】
次に、本考案の第２の実施形態について説明する。本実施形態の構成は図３（ａ）に示すように、上記のようにして作られた小片１ａ、１ａ’の花弁が複数枚重ねられてボンドまたはグルーガンで止められていることを特徴とする。
【００１５】
本実施形態のアクセサリーパーツの製作手順は、第１の実施形態と同様の手順で製作された各小片１ａに穴を明けた後、各小片１ａ同士で重ね合せ、不図示の連結材を用い、ボンドや図３（ａ）に示すグルーガン５と呼ばれるスティック状の接着剤を塗布する装置で接着固定して一個の花とすることで花のアクセサリーパーツとする。
【００１６】
本願考案の花のアクセサリーパーツは、パソコンでポリエステルまたは綿の布に印刷して作ることで、好きな色、形、大きさで花弁を作ることができ、絵の具を使わずパソコンで印刷するため細かく一定の色が出せ、グラデーションも可能となる。また、レジンを塗布して固めることで強くて保存性の良い物が作れるため、ハンドメイドで楽しむことができる。
【００１７】
従来のプリザーブドフラワーや押し花にレジンを塗る方法では太陽光で色あせ等の劣化が生じるが、本願考案の花のアクセサリーパーツは極めて長期間色あいが保たれ、劣化することがない。また、アートフラワー用の専用コテで固めることで同一品の多量製作も可能である。
【００１８】
本願考案の花のアクセサリーパーツは単独で鎖等を連結してアクセサリーとするほか、宝石やその他の部品と組み合わせて用いることで、様々のバリエーションとすることが可能である。このように、他の素材と組み合わせて花のアクセサリーを製作する場合、その組み合わせにふさわしい花のデザインがパソコンによる印刷で容易に行え、製作も技術的に容易であり、しかも保存性に優れたものができるため、既存のアクセサリーとのコラボレーションが容易に行える。
【符号の説明】
【００１９】
１  布
１ａ  小片
１ｂ  表面
１ｃ  裏面
２  専用コテ
３  レジン
４  ＵＶライト
５  グルーガン
【図１】
0003211296.tif 000003
【図２】
0003211296.tif 000004
【図３】
0003211296.tif 000005
【手続補正書】
【提出日】平成29年5月7日(2017.5.7)
【手続補正１】
【補正対象書類名】実用新案登録請求の範囲
【補正対象項目名】請求項３
【補正方法】変更
【補正の内容】
【請求項３】
上記花弁が複数枚重ねられて接着剤またはグルーガンで止められていることを特徴とする、請求項１または２に記載の花のアクセサリーパーツ。
【手続補正２】
【補正対象書類名】明細書
【補正対象項目名】０００８
【補正方法】変更
【補正の内容】
【０００８】
上記課題を解決するために、請求項１の考案は、表面及び裏面に印刷が施されたポリエステル製または綿製の布の小片であって、布の小片は熱処理により変形しており、さらに表裏面にレジンが塗られ、ＵＶライトにより固められたものが花弁として用いられることを特徴とする。
請求項２の考案はさらに、布の小片は、ポリエステル製または綿製の布の表面及び裏面にパソコンで印刷されたものから切り出されたものであることを特徴とする。
請求項３の考案はさらに、花弁が複数枚重ねられて接着剤またはグルーガンで止められていることを特徴とする。
【手続補正３】
【補正対象書類名】明細書
【補正対象項目名】００１４
【補正方法】変更
【補正の内容】
【００１４】
次に、本考案の第２の実施形態について説明する。本実施形態の構成は図３（ａ）に示すように、上記のようにして作られた小片１ａ、１ａ’の花弁が複数枚重ねられて接着剤またはグルーガンで止められていることを特徴とする。